(57)【要約】【課題】視覚障害者が楽しめる印画物を作製する。【解決手段】印画物作製システムは、ユーザ端末７からユーザ画像を受信する受信部１１、及び前記ユーザ画像に含まれるエッジを抽出して線画を作成する線画作成部１２を有するサーバ装置１と、前記線画を紙にプリントし、線画部分に立体加工を施す出力装置と、を備える。出力装置は、前記線画をカプセル紙にプリントするプリンタ２、及び前記線画がプリントされた前記カプセル紙を加熱して線画部分を隆起させる立体コピー作製機３を有する。ユーザ画像がプリントされた紙と、線画部分に立体加工が施された紙とを製本して、フォトブック４を作製する。【選択図】図１
2019133589.tif 000002
【特許請求の範囲】
【請求項１】
ユーザ端末からユーザ画像を受信する受信部、及び前記ユーザ画像に含まれるエッジを抽出して線画を作成する線画作成部を有するサーバ装置と、
前記線画を紙にプリントし、線画部分に立体加工を施す出力装置と、
を備える印画物作製システム。
【請求項２】
前記出力装置は、前記線画をカプセル紙にプリントするプリンタ、及び前記線画がプリントされた前記カプセル紙を加熱して線画部分を隆起させる立体コピー作製機を有することを特徴とする請求項１に記載の印画物作製システム。
【請求項３】
前記出力装置は、前記ユーザ画像を紙にプリントし、前記ユーザ画像がプリントされた紙と、前記線画部分に立体加工が施された紙とを製本することを特徴とする請求項１又は２に記載の印画物作製システム。
【請求項４】
前記出力装置は、前記ユーザ画像がプリントされた紙と、前記線画部分に立体加工が施された紙と交互に配置して製本することを特徴とする請求項３に記載の印画物作製システム。
【請求項５】
前記サーバ装置は、ユーザ端末から受信したコメントを点字に変換する変換部を有し、
前記出力装置は、前記線画及び前記点字を紙にプリントし、線画部分及び点字部分に立体加工を施すことを特徴とする請求項１乃至４のいずれかに記載の印画物作製システム。
【請求項６】
サーバ装置が、ユーザ端末からユーザ画像を受信し、前記ユーザ画像に含まれるエッジを抽出して線画を作成する工程と、
出力装置が、前記線画を紙にプリントし、線画部分に立体加工を施す工程と、
を備える印画物作製方法。
【請求項７】
見開きの左右ページの一方にユーザ画像がプリントされ、他方に前記ユーザ画像から作成された線画がプリントされ、線画部分に立体加工が施されていることを特徴とするフォトブック。
【発明の詳細な説明】
【技術分野】
【０００１】
本発明は、印画物作製システム、印画物作製方法及びフォトブックに関する。
【背景技術】
【０００２】
デジタルカメラやスマートフォン等で撮影した画像を、ネットワーク上にアップロードして保存することが行われている。また、アップロードした画像をプリントして、フォトブックやポスター等の印画物を作製するサービスが知られている（例えば特許文献１参照）。
【０００３】
従来、撮影画像を用いて作製していた印画物は晴眼者向けのものであり、全盲／弱視の視覚障害者が楽しめる印画物は作製されていなかった。
【先行技術文献】
【特許文献】
【０００４】
【特許文献１】特開２００５−３３９２１４号公報
【発明の概要】
【発明が解決しようとする課題】
【０００５】
本発明は、視覚障害者が楽しめる印画物を作製できる印画物作製システム及び印画物作製方法を提供することを課題とする。また、本発明は、視覚障害者が楽しめるフォトブックを提供することを課題とする。
【課題を解決するための手段】
【０００６】
本発明による印画物作製システムは、ユーザ端末からユーザ画像を受信する受信部、及び前記ユーザ画像に含まれるエッジを抽出して線画を作成する線画作成部を有するサーバ装置と、前記線画を紙にプリントし、線画部分に立体加工を施す出力装置と、を備えるものである。
【０００７】
本発明の一態様では、前記出力装置は、前記線画をカプセル紙にプリントするプリンタ、及び前記線画がプリントされた前記カプセル紙を加熱して線画部分を隆起させる立体コピー作製機を有する。
【０００８】
本発明の一態様では、前記出力装置は、前記ユーザ画像を紙にプリントし、前記ユーザ画像がプリントされた紙と、前記線画部分に立体加工が施された紙とを製本する。
【０００９】
本発明の一態様では、前記出力装置は、前記ユーザ画像がプリントされた紙と、前記線画部分に立体加工が施された紙と交互に配置して製本する。
【００１０】
本発明の一態様では、前記サーバ装置は、ユーザ端末から受信したコメントを点字に変換する変換部を有し、前記出力装置は、前記線画及び前記点字を紙にプリントし、線画部分及び点字部分に立体加工を施す。
【００１１】
本発明による印画物作製方法は、サーバ装置が、ユーザ端末からユーザ画像を受信し、前記ユーザ画像に含まれるエッジを抽出して線画を作成する工程と、出力装置が、前記線画を紙にプリントし、線画部分に立体加工を施す工程と、を備えるものである。
【００１２】
本発明によるフォトブックは、見開きの左右ページの一方にユーザ画像がプリントされ、他方に前記ユーザ画像から作成された線画がプリントされ、線画部分に立体加工が施されているものである。
【発明の効果】
【００１３】
本発明によれば、視覚障害者が楽しめる印画物を作製できる。
【図面の簡単な説明】
【００１４】
【図１】本発明の実施形態に係る印画物作製システムの概略構成図である。
【図２】線画の作成例を示す図である。
【図３】印画物の例を示す図である。
【図４】サーバ装置の概略構成図である。
【図５】同実施形態に係る印画物作製方法を説明するフローチャートである。
【発明を実施するための形態】
【００１５】
以下、本発明の実施の形態を図面に基づいて説明する。
【００１６】
図１に示すように、本発明の実施形態に係る印画物作製システムは、サーバ装置１、プリンタ２及び立体コピー作製機３を備え、視覚障害者が楽しめる印画物（例えばフォトブック）を作製するものである。サーバ装置１は、インターネット等の通信ネットワークを介して、ユーザ端末７と通信可能となっている。サーバ装置１は、ユーザ端末７からアップロードされたユーザ画像を保存する。
【００１７】
ユーザ端末７は、ＰＣ、スマートフォン、タブレット端末等である。ユーザ画像は、例えば、ユーザがデジタルカメラやスマートフォン等で撮影した画像である。
【００１８】
ユーザは、自身がアップロードしたユーザ画像を用いたフォトブックの注文を行う。ユーザは、フォトブックのページ数、装丁、注文数を選択し、料金の支払い方法を選択し、注文を完了する。
【００１９】
サーバ装置１は、ユーザ画像に含まれるエッジを抽出し、抽出したエッジからなる線画を作成する。例えば、図２（ａ）に示すようなユーザ画像からエッジを抽出し、図２（ｂ）に示すような線画を作成する。
【００２０】
サーバ装置１は、ユーザ画像及び線画を含むプリントデータをプリンタ２へ送信する。プリンタ２は、ユーザ画像（カラー画像）を印画紙にプリントする。印画紙は、フォトブック等で一般に使用される紙を用いることができる。また、プリンタ２は、黒色の線画をカプセル紙にプリントする。カプセル紙は、樹脂製の熱発泡性あるいは熱膨張性を示すマイクロカプセルが塗布されているものである。
【００２１】
立体コピー作製機３は、線画がプリントされたカプセル紙を加熱し、立体加工を施す。プリンタ２で線画を黒インクでプリントしたカプセル紙を立体コピー作製機３に通すと、黒インク部分のマイクロカプセルが膨張し、線画の部分が隆起して立体的なものとなる。
【００２２】
カラー画像をプリントした印画紙と、立体加工を施したカプセル紙とを交互に並べて製本することで、図３に示すように、左側の頁がカラー画像、右側の頁がこのカラー画像に基づく立体線画となったフォトブック４が作製される。作製されたフォトブック４はユーザへ配送される。
【００２３】
視覚障害者は立体線画の凹凸を触りながら、晴眼者と共にフォトブック４を楽しむことができる。
【００２４】
次に、サーバ装置１の構成について説明する。サーバ装置１は、ユーザ端末７からユーザ画像を受信し、ユーザ画像から線画を作成し、画像編集画面を生成してユーザ端末７へ送信し、画像編集操作及びフォトブックのプリント注文を受け付け、ユーザ画像及び線画を含むプリントデータをプリンタ２へ送信するものである。
【００２５】
図４に示すように、サーバ装置１は、制御部１０、記憶部Ｍ、及び通信部１８を備える。制御部１０は、サーバ装置１の全体を制御する中央処理装置（ＣＰＵ）である。制御部１０は、記憶部Ｍに記憶されているオペレーティングシステム（ＯＳ）やアプリケーションプログラムを読み出して実行することにより、各種機能を実現する。
【００２６】
記憶部Ｍは、制御部１０が各種の処理を実行するために必要なプログラムやデータ等を記憶するための記憶領域であり、ハードディスクや半導体メモリ等が用いられる。記憶部Ｍは、ユーザ画像ＤＢ（データベース）１５、プリントデータＤＢ１６、及び注文情報ＤＢ１７を有する。
【００２７】
制御部１０は、受信部１１、線画作成部１２、編集処理部１３、及び注文処理部１４の機能を備える。受信部１１は、通信部１８を用いて、ユーザ端末７からユーザ画像のデータを受信し、ユーザ画像データをユーザ画像ＤＢ１５に格納する。制御部１０は、受信部１１が受信したユーザ画像の解像度やデータサイズから、印画に適した画像か否かを判定し、判定結果をユーザ端末７に通知してもよい。
【００２８】
線画作成部１２は、ユーザ画像に含まれるエッジを抽出し、抽出したエッジからなる黒色の線画を作成する。線画データはユーザ画像と対応付けてユーザ画像ＤＢ１５に格納される。エッジ抽出方法は特に限定されず、公知の手法を用いることができる。例えば、カラーのユーザ画像をモノクロ画像に変換する。そして、モノクロ画像をぼかしたぼかし画像を生成する。ぼかし画像は、モノクロ画像の外形サイズに応じたフィルタサイズを有するガウシアンフィルタによりモノクロ画像にフィルタリング処理を行うことで生成される。
【００２９】
ぼかし画像の画素値と、このぼかし画像の画素値に対応するモノクロ画像の画素値との比率を検出する。比率が所定の閾値より大きいと判定された画素をモノクロ画像中のエッジとして出力する。
【００３０】
編集処理部１３は、ユーザ画像と、このユーザ画像から作成した線画とを並べた編集画面を生成し、通信部１８を用いてユーザ端末７へ送信する。ユーザは、ユーザ端末７を用いて編集画面を操作し、コメントの入力を行ったり、フレームやスタンプ等の編集アイテムの配置を行ったりする。
【００３１】
編集処理部１３は、ユーザがユーザ端末７を用いて編集画面で行った編集操作を受け付け、編集アイテムが合成されたユーザ画像と、線画とを含むプリント用画像を生成する。生成されたプリント用画像のデータを含む、フォトブック作製用のプリントデータが、プリントデータＤＢ１６に格納される。
【００３２】
注文処理部１４は、ユーザ端末７から、プリント注文として、フォトブックのページ数、装丁、プリント冊数を受け付ける。必要に応じて、決済部（図示略）が決済処理を行い、プリント注文が完了する。
【００３３】
プリント注文が完了すると、編集処理部１３又は注文処理部１４は、プリント注文の注文番号と、プリント注文されたフォトブックに含まれる各画像（ユーザ画像及び線画）の画像識別番号とを組み合わせた情報を、注文情報ＤＢ１７に格納する。プリント注文を行ったユーザの連絡先等を含むユーザ情報を注文情報ＤＢ１７に格納してもよい。
【００３４】
通信部１８は、ユーザ端末７やプリンタ２と通信を行う。
【００３５】
次に、本実施形態に係るフォトブックの作製方法を図５に示すフローチャートを用いて説明する。
【００３６】
ユーザは、ユーザ端末７からフォトブックにしたいユーザ画像を選択し、サーバ装置１にアップロードする（ステップＳ１）。ユーザ画像はユーザ画像ＤＢ１５に格納される。
【００３７】
サーバ装置１が、ユーザ画像からエッジを抽出し、線画を作成する（ステップＳ２）。サーバ装置１は、ユーザ画像及び線画を用いて編集画面を生成し、ユーザ端末７へ送信する。ユーザは、編集画面を操作し、コメントを追加したり、スタンプ等を合成したりして、編集を行う（ステップＳ３）。編集処理後、決済処理を行う（ステップＳ４）。
【００３８】
サーバ装置１は、ユーザ画像及び線画を含むプリントデータをプリンタ２へ転送する（ステップＳ５）。プリンタ２は高解像度のカラープリンタであり、ユーザ画像を印画紙にカラープリントする（ステップＳ６）。また、プリンタ２は、カプセル紙に線画を黒色でプリントする（ステップＳ７）。
【００３９】
立体コピー作製機３が、ステップＳ７で線画がプリントされたカプセル紙を加熱し、線画の部分を隆起させ、立体加工を施す（ステップＳ８）。
【００４０】
ステップＳ６でユーザ画像をプリントした印画紙と、ステップＳ８で立体加工を施したカプセル紙とを交互に配置し、製本機で製本する（ステップＳ９）。これにより、図３に示すような、左側の頁がカラー画像、右側の頁がこのカラー画像に基づく立体線画となったフォトブック４を作製できる。
【００４１】
上記実施形態において、ユーザ画像を印画紙にカラープリントするプリンタと、黒色線画をカプセル紙にプリントするプリンタとは異なるものでもよい。
【００４２】
上記実施形態では、左側の頁がカラー画像、右側の頁がこのカラー画像に基づく立体線画となったフォトブック４について説明したが、これとは逆に、右側の頁がカラー画像、左側の頁が立体線画となっていてもよい。また、前半がカラー画像、後半が立体線画となったフォトブックとなっていてもよい。また、カラー画像からなるフォトブックと、立体線画のフォトブックとが別冊になっていてもよい。
【００４３】
上記実施形態ではフォトブックを作製する例について説明したが、ユーザ画像に基づく立体線画を有するポスターやカレンダー等を作製してもよい。
【００４４】
上記実施形態において、制御部１０は、編集操作で追加したコメントを点字に変換し、線画に含める変換部を備えていてもよい。点字部分が凸状に加工され、視覚障害者は点字のコメントが付されたフォトブックを楽しむことができる。
【００４５】
上記実施形態では、プリンタ２及び立体コピー作製機３を有する出力装置が、カプセル紙に線画をプリントし、加熱により線画部分を隆起させて凹凸加工を施す例について説明したが、出力装置は、カプセル紙を用いて凹凸加工を施すものに限定されない。例えば、線画を厚手の紙に印画し、尖頭形状を有する部材を用いて線画部分を押圧してもよい。また、線画部分にのみインクを厚塗りして凸状にしてもよい。あるいはまた、線画以外の部分にインクやその他の層を塗布し、線画部分を凹状にしてもよい。
【００４６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４７】
１  サーバ装置
２  プリンタ
３  立体コピー作製機
７  ユーザ端末
【図１】
2019133589.tif 000003
【図２】
2019133589.tif 000004
【図３】
2019133589.tif 000005
【図４】
2019133589.tif 000006
【図５】
2019133589.tif 000007